(57)【要約】【課題】地上デジタル放送のＭＦＮのフリンジエリアでも、安定した受信が可能なデジタル放送受信機、受信方法及びその受信機のプログラムを提供すること。【解決手段】  デジタル放送受信機３は、中継局１の弱電界受信エリアと中継局２の弱電界受信エリアとが重なるＭＦＮフリンジエリアに設置されている。デジタル放送受信機３は、設置時に放送波のスキャンを行った結果、中継局１，２の放送波を安定して受信することができなくとも、ある程度受信可能であるならば、中継局１，２のいずれの放送波も受信する。そして、中継局１，２の放送波の受信状況を監視し、各チャンネルの受信状況の組み合わせに対応した受信方法で放送波を受信する。【選択図】図１
2008193385.tif 000002
【特許請求の範囲】
【請求項１】
デジタル放送の受信機であって、
同一放送番組を受信可能な各チャンネルの受信状況の組み合わせと、前記組み合わせ時の受信方法とが関連付けられて記憶されている記憶手段と、
各チャンネルの受信状況を検出する受信状況検出手段と、
前記受信状況検出手段により検出された各チャンネルの受信状況の組み合わせに対応した受信方法を前記記憶手段から選択し、選択した受信方法により、放送波を受信する受信手段と
を有することを特徴とする受信機。
【請求項２】
同一番組を受信可能なチャンネルを検出し、前記記憶手段に登録するチャンネル登録手段を有することを特徴とする請求項１に記載の受信機。
【請求項３】
チャンネル登録手段は、Network Information Tableに基づいて、同一番組の受信可能なチャンネルを検出するように構成されていることを特徴とする請求項２に記載の受信機。
【請求項４】
受信手段は、複数チャンネルを用いたダイバーシティ方式で受信を行うことを特徴とする請求項１から請求項３のいずれかに記載の受信機。
【請求項５】
デジタル放送の受信機であって、
Multi Frequency Networkのチャンネルを検出するチャンネル検出手段と、
前記検出された各チャンネルの受信状況を検出する手段と、
前記検出された各チャンネルの受信状況に応じたチャンネルの組み合わせによるダイバーシティ方式で、放送波を受信する受信手段と
を有することを特徴とする受信機。
【請求項６】
チャンネル検出手段は、Network Information Tableに基づいて、Multi Frequency Networkのチャンネルを検出するように構成されていることを特徴とする請求項５に記載の受信機。
【請求項７】
デジタル放送の受信機であって、
少なくとも１以上のアンテナと、
Multi Frequency Networkの各チャンネルを受信する複数のチューナと、
前記アンテナと前記複数のチューナとの組み合わせ時におけるMulti Frequency Networkの各チャンネルの受信状況を検出する手段と、
前記検出された各チャンネルの受信状況に応じて、前記アンテナと前記複数のチューナとの組み合わせによるダイバーシティ方式で、放送波を受信する受信手段と
を有することを特徴とする受信機。
【請求項８】
Network Information Tableに基づいて、Multi Frequency Networkのチャンネルを検出するチャンネル検出手段を有することを特徴とする請求項７に記載の受信機。
【請求項９】
デジタル放送の受信方法であって、
Multi Frequency Networkの各チャンネルを受信し、
各チャンネルの受信状況を検出し、
検出された各チャンネルの受信状況に基づいて、放送波の受信方法を選択して受信することを特徴とするデジタル放送の受信方法。
【請求項１０】
前記各チャンネルの受信状況の組み合わせによるダイバーシティ方式で、放送波を受信することを特徴とする請求項９に記載のデジタル放送の受信方法。
【請求項１１】
Network Information Tableに基づいて、Multi Frequency Networkのチャンネルを検出することを特徴とする請求項９又は請求項１０に記載のデジタル放送の受信方法。
【請求項１２】
前記各チャンネルの受信状況の組み合わせと、この組み合わせ時の受信方法とを、予め設定しておくことを特徴とする請求項９から請求項１１のいずれかに記載のデジタル放送の受信方法。
【請求項１３】
デジタル放送受信機のプログラムであって、
Multi Frequency Networkを構成する受信可能なチャンネルを検出するチャンネル検出処理と、
Multi Frequency Networkの各チャンネルの受信状況を監視する監視処理と、
各チャンネルの受信状況に基づいて、放送波の受信方法を選択して受信する受信処理と
をデジタル放送受信機に実行させることを特徴とするプログラム。
【請求項１４】
前記受信処理は、各チャンネルの受信状況に応じたチャンネルの組み合わせによるダイバーシティ方式で、放送波を受信する処理であることを特徴とする請求項１３に記載のプログラム。
【請求項１５】
前記チャンネル検出処理は、Network Information Tableに基づいて、Multi Frequency Networkのチャンネルを検出することを特徴とする請求項１３又は請求項１４に記載のプログラム。
【請求項１６】
前記各チャンネルの受信状況の組み合わせと、この組み合わせ時の受信方法とを、予め記憶する処理を有することを特徴とする請求項１３から請求項１５のいずれかに記載のプログラム。
【発明の詳細な説明】
【技術分野】
【０００１】
本発明はデジタル放送受信機、受信方法及びその受信機のプログラムに関する。
【背景技術】
【０００２】
地上デジタル放送では、全ての世帯に安定な固定受信を提供するために中継局の建設を行っている。Multi Frequency Networkで構築したエリアの中には、複数の送信所・中継所から低電界・低ＣＮ比で電波を受信できるが、低電界・低ＣＮ比のため、安定に固定受信をできないエリアがある。このような場合、このエリアのために小規模な中継局の建設や、ケーブルによる伝送をする必要があった。
【０００３】
また、上述したMulti Frequency Networkのフリンジエリアに受信機を設定した場合、各受信可能チャンネル（中継局）に対応するチャンネル番号（周波数）は複数存在するので、各放送局について最も受信状況の良いチャンネルを１つ選択するか又は受信可能チャンネル一覧には複数の物理チャンネルを割り当て、視聴時に選択された放送局に該当する各チャンネルの受信状況を確認してから受信チャンネルを決定するといった受信機も提案されている（例えば、特許文献１  段落００５８）。
【特許文献１】特開２００５−３１８１５２号公報
【発明の開示】
【発明が解決しようとする課題】
【０００４】
しかしながら、このようなエリアの為だけに、中継局の建設や、ケーブルによる伝送を行うには膨大なコストがかかるが、一方、そのようなエリアにおいても、安定した固定受信の要望は高かった。
【０００５】
また、特許文献１に記載された受信機は、Multi Frequency Networkのうち、最も受信状況が良いチャンネルをひとつ選択するにすぎないものであり、選択したチャンネルも、元々低電界・低ＣＮ比の受信しかできないエリアであるため、安定した受信は望めない。
【０００６】
そこで、本発明は上記課題に鑑みて発明されたものであって、その目的は地上デジタル放送のＭＦＮのフリンジエリアでも、安定した受信が可能なデジタル放送受信機、受信方法及びその受信機のプログラムを提供することにある。
【課題を解決するための手段】
【０００７】
上記課題を解決する本発明は、デジタル放送の受信機であって、同一放送番組を受信可能な各チャンネルの受信状況の組み合わせと、前記組み合わせ時の受信方法とが関連付けられて記憶されている記憶手段と、各チャンネルの受信状況を検出する受信状況検出手段と、前記受信状況検出手段により検出された各チャンネルの受信状況の組み合わせに対応した受信方法を前記記憶手段から選択し、選択した受信方法により、放送波を受信する受信手段とを有することを特徴とする。
【０００８】
上記課題を解決する本発明は、デジタル放送の受信機であって、Multi Frequency Networkのチャンネルを検出するチャンネル検出手段と、前記検出された各チャンネルの受信状況を検出する手段と、前記検出された各チャンネルの受信状況に応じたチャンネルの組み合わせによるダイバーシティ方式で、放送波を受信する受信手段とを有することを特徴とする。
【０００９】
上記課題を解決する本発明は、デジタル放送の受信機であって、少なくとも１以上のアンテナと、Multi Frequency Networkの各チャンネルを受信する複数のチューナと、前記アンテナと前記複数のチューナとの組み合わせ時におけるMulti Frequency Networkの各チャンネルの受信状況を検出する手段と、前記検出された各チャンネルの受信状況に応じて、前記アンテナと前記複数のチューナとの組み合わせによるダイバーシティ方式で、放送波を受信する受信手段とを有することを特徴とする。
【００１０】
上記課題を解決する本発明は、デジタル放送の受信方法であって、Multi Frequency Networkの各チャンネルを受信し、各チャンネルの受信状況を検出し、検出された各チャンネルの受信状況に基づいて、放送波の受信方法を選択して受信することを特徴とする。
【００１１】
上記課題を解決する本発明は、デジタル放送受信機のプログラムであって、Multi Frequency Networkを構成する受信可能なチャンネルを検出するチャンネル検出処理と、Multi Frequency Networkの各チャンネルの受信状況を監視する監視処理と、各チャンネルの受信状況に基づいて、放送波の受信方法を選択して受信する受信処理とをデジタル放送受信機に実行させることを特徴とするプログラムである。
【発明の効果】
【００１２】
本発明は、地上デジタル放送のＭＦＮのフリンジエリアでも、安定した受信が可能なデジタル放送受信機、受信方法及びその受信機のプログラムを提供することができる。その理由は、安定に受信できないＭＦＮを構成する中継局の物理チャンネルも受信してダイバーシティ受信することで、時間的な変動のない安定したＣＮ比を確保するからである。
【発明を実施するための最良の形態】
【００１３】
本発明の実施の形態を説明する。
【００１４】
図１は本発明の概念を説明するための図である。
【００１５】
図１中、１及び２は中継局であり、３は中継局１，２の放送波を受信可能なデジタル放送受信機である。
【００１６】
中継局１，２は、Multi Frequency Network（以下、ＭＦＮと称する）を構成する中継局であって、周波数（物理チャンネル）は異なるが同一のＴＳ（同一番組）の放送波を中継する中継局である。尚、図１中、実線の円は強電界エリアを示しており、点線の円は弱電界エリアを示している。
【００１７】
デジタル放送受信機３は、中継局１の弱電界受信エリアと中継局２の弱電界受信エリアとが重なる位置（ＭＦＮフリンジエリア）に設置されており、中継局１，２の放送波を受信可能なデジタル放送受信機である。但し、デジタル放送受信機は、中継局１の弱電界受信エリアと中継局２の弱電界受信エリアとが重なる位置（ＭＦＮフリンジエリア）に設置されているので、いずれの中継局の放送波も安定して受信することはできない。このような状況下においても、従来、デジタル放送受信機は、設置時に放送波のスキャンを行って中継局１，２のいずれかの中継局のチャンネル（周波数）を選択し、その中継局の放送波を受信することとなる。
【００１８】
しかし、本発明のデジタル放送受信機３は、設置時に放送波のスキャンを行った結果、中継局１，２の放送波を安定して受信することができなくとも、ある程度受信可能であるならば、中継局１，２のいずれの放送波も受信する。そして、中継局１，２の放送波の受信状況を監視し、各チャンネルの受信状況の組み合わせに対応した受信方法で放送波を受信する。受信方法の代表的なものとしては、中継局１，２の放送波の組み合わせによるダイバーシティ受信、又は、中継局１，２のいずれかが受信できない場合には、受信可能な中継局の放送波を用いたダイバーシティ受信がある。
【００１９】
このように、本発明は、チャンネルスキャンを行うときに、安定して受信できないチャンネルも受信するようにし、通常受信時においては、受信可能なチャンネルを用いたダイバーシティ受信を行うことで、時間的に変動のない安定したＣＮ比を確保するのである。
【００２０】
次に、本実施の形態におけるデジタル放送受信機を説明する。
【００２１】
図２はデジタル放送受信機３のブロック図である。
【００２２】
本実施の形態におけるデジタル放送受信機３は、アンテナ１１１，１１２と、チューナ１２１，１２２と、復調部１３１，１３２と、係数設定部１４１，１４２と、信号合成部１５と、制御部１６とを備える。
【００２３】
チューナ１２１，１２２は、デジタル放送受信機の設置時に制御部１６により受信チャンネルを変更しながら、ＭＦＮを構成する受信可能な中継局のスキャンを行う。そして、スキャン後、制御部１６により、受信可能なチャンネルの周波数に変更される。
【００２４】
復調部１３１，１３２は、チューナ１２１，１２２からの受信信号を復調し、その復調信号を係数設定部１４１，１４２に出力する。
【００２５】
係数設定部１４１，１４２は、制御部１６から指示された重み付けを復調信号に行い、信号合成部１５に出力する。
【００２６】
信号合成部１５は、係数設定部１４１，１４２から出力された復調信号（重み付けされた）を合成して、受信機の後段の復号部（図示せず）に出力する。
【００２７】
制御部１６は、受信した、いずれかのチャンネルのＴＳからNetwork Information Table（以下、ＮＩＴと称する）からＭＦＮを構成する中継局の周波数情報を取得する。図３はＮＩＴ情報の一例を示した図である。図３に示されるＮＩＴ情報では、周波数が545.142857MHz、周波数が593.142857MHz、周波数が479.142857MHz、周波数が599.142857MHz、及び周波数が509.142857MHzの５つの中継局がＭＦＮを構成している中継局であることがわかる。そして、制御部１６は、これらのＭＦＮの中継局の周波数を、チューナ１２１，１２２にセットして受信状況を検出する。検出方法は、復調部１３１，１３２からの復調信号の信号レベル、誤り率等により検出する。受信可能な中継局が検出されると、その中継局のチャンネル（周波数）を、制御部１６は記憶する。
【００２８】
また、制御部１６は、放送波の受信方法のテーブルを記憶しており、実際の受信時に検出される受信状況に対応したダイバーシティ受信に基づいて、チューナ１２１，１２２の受信周波数の制御や、係数設定部１４１，１４２の重み付け係数の制御を行う。
【００２９】
続いて、上述の構成におけるデジタル放送受信機３の具体的な動作について説明する。尚、以下の説明において、デジタル放送受信機３は、図１に示されるような位置に設置され、２５ＣＨ、３３ＣＨが受信できるものとする。
【００３０】
まず、デジタル放送受信機３は、設置時に受信可能な中継局のスキャンを行い、受信できた放送波のＮＩＴからＭＦＮを構成する中継局の物理チャンネル（周波数）を取得し、これに基づいて、チューナ１２１，１２２の受信チャンネルを変更しながら、受信可能な中継局を特定する。
【００３１】
図４はデジタル放送受信機３のスキャン時の様子を示した図である。図４では、デジタル放送受信機３は、“２５ＣＨ、２６ＣＨ、２７ＣＨ、…、３３ＣＨ、３４ＣＨ、３５ＣＨ、…”のように、チャンネル（周波数）が低い方から順に高い方へとスキャンを行っており、受信可能なチャンネルが“２５ＣＨ、２７ＣＨ、…、３３ＣＨ、３４ＣＨ、…”であることがわかる。更に、ＭＦＮを構成する中継局のチャンネルのＮＩＴからＭＦＮを構成する中継局の物理チャンネルを識別することができる。図４の例では、２５ＣＨと３３ＣＨとが放送事業者ＡにおけるＭＦＮのチャンネルであり、２７ＣＨと３４ＣＨとが放送事業者ＢにおけるＭＦＮのチャンネルであることを示している。
【００３２】
次に、デジタル放送受信機３は、各放送事業者の受信可能な中継局が判明すると、図５に示すような受信方法テーブルが、放送事業者毎に制御部１６に作成される。尚、図５は、放送事業者Ａの受信可能な中継局が２５ＣＨと３３ＣＨとである場合の受信方法テーブルの一例である。
【００３３】
図５に示される受信テーブルでは、受信パターン１から受信パターン９までの受信パターンが規定されており、この受信パターンは時間の経過とともに変動する各中継局の受信状況に対応する受信方法のパターンである。
【００３４】
受信パターン１は、受信チャンネル２５ＣＨの受信状況が“良”であり、受信チャンネル３３ＣＨの受信状況が“良”である場合、その場合の受信方法が受信チャンネル２５ＣＨと３３ＣＨとを用いたダイバーシティ方式で受信を行うパターンである。
【００３５】
受信パターン２は、受信チャンネル２５ＣＨの受信状況が“良”であり、受信チャンネル３３ＣＨの受信状況が“普通”である場合、その場合の受信方法が受信チャンネル２５ＣＨと３３ＣＨとを用いたダイバーシティ方式で受信を行うパターンである。
【００３６】
受信パターン３は、受信チャンネル２５ＣＨの受信状況が“良”であり、受信チャンネル３３ＣＨの受信状況が“不可”である場合、その場合の受信方法が受信チャンネル２５ＣＨを用いたダイバーシティ方式で受信を行うパターンである。
【００３７】
受信パターン４は、受信チャンネル２５ＣＨの受信状況が“普通”であり、受信チャンネル３３ＣＨの受信状況が“良”である場合、その場合の受信方法が受信チャンネル２５ＣＨと３３ＣＨとを用いたダイバーシティ方式で受信を行うパターンである。
【００３８】
受信パターン５は、受信チャンネル２５ＣＨの受信状況が“普通”であり、受信チャンネル３３ＣＨの受信状況が“普通”である場合、その場合の受信方法が受信チャンネル２５ＣＨと３３ＣＨとを用いたダイバーシティ方式で受信を行うパターンである。
【００３９】
受信パターン６は、受信チャンネル２５ＣＨの受信状況が“普通”であり、受信チャンネル３３ＣＨの受信状況が“不可”である場合、その場合の受信方法が受信チャンネル２５ＣＨを用いたダイバーシティ方式で受信を行うパターンである。
【００４０】
受信パターン７は、受信チャンネル２５ＣＨの受信状況が“不可”であり、受信チャンネル３３ＣＨの受信状況が“良”である場合、その場合の受信方法が受信チャンネル３３ＣＨを用いたダイバーシティ方式で受信を行うパターンである。
【００４１】
受信パターン８は、受信チャンネル２５ＣＨの受信状況が“不可”であり、受信チャンネル３３ＣＨの受信状況が“普通”である場合、その場合の受信方法が受信チャンネル３３ＣＨを用いたダイバーシティ方式で受信を行うパターンである。
【００４２】
受信パターン９は、受信チャンネル２５ＣＨの受信状況が“不可”であり、受信チャンネル３３ＣＨの受信状況が“不可”である場合、その場合の受信不可能なパターンである。
【００４３】
この受信方法テーブルの受信パターンは、受信できるチャンネルを除いて、予め作成して制御部１６に記憶しておき、設置時のスキャンの結果に基づいて、受信可能チャンネルが書き込まれる。
【００４４】
次に、通常受信動作を説明する。尚、以下の説明では、初期状態においては、チューナ１２１が２５ＣＨを受信し、チューナ１２２が３３ＣＨを受信するものとする。
【００４５】
通常受信時において、制御部１６は、復調部１３１，１３２からの復調信号の信号レベル等から各チャンネルの受信状況を所定時間毎に監視する。そして、その時の各チャンネルの受信状況に対応した受信パターンを受信テーブルから選択して、その受信方法に基づく重み付け係数の制御を係数設定部１４１，１４２に対して行う。例えば、受信チャンネル２５ＣＨの受信状況が“良”であり、受信チャンネル３３ＣＨの受信状況が“良”である場合には受信パターン１を選択し、２５ＣＨと３３ＣＨとを用いたダイバーシティ方式で受信を行う。この場合の重み付け係数の制御は、例えば、キャリア毎の最大比合成等により行う。
【００４６】
また、受信チャンネル２５ＣＨの受信状況が“不可”であり、受信チャンネル３３ＣＨの受信状況が“良”である場合には受信パターン７を選択し、チューナ１２１の受信チャンネルを２５ＣＨから３３ＣＨに変更し、３３ＣＨを、チューナ１２１及びチューナ１２２による２系統で３３ＣＨをダイバーシティ方式で受信する。の場合の重み付け係数の制御は、例えば、キャリア毎の最大比合成等により行う。
【００４７】
このように、各チャンネルの受信状況に合わせた受信方法を選択して受信することにより、ＭＦＮフリンジエリアにおいても安定した受信が可能となる。
【００４８】
尚、本実施の形態では、受信可能な中継局を２個で説明したが、これに限ることなく、２以上の中継局でもかまわない。この場合、受信可能な中継局の数に応じてチューナの数を増加することにより、本発明の適用が可能となる。
【００４９】
また、本実施の形態では、キャリア毎の最大比合成によるダイバーシティ受信の例を説明したが、これに限られない。例えば、ＴＳについてダイバーシティ受信を行っても良い。
【００５０】
また、受信状況の検出は、信号レベルばかりでなく、ＣＮ比、誤り率等でも良い。
【００５１】
また、ＭＦＮを構成する中継局の検出はＮＩＴに限ることなく、ＴＳレベルで検出を行っても良い。
【００５２】
更に、アンテナとチューナとの組み合わせによって、受信パターンを増加させても良い。
【図面の簡単な説明】
【００５３】
【図１】図１は本発明の概念を説明するための図である。
【図２】図２はデジタル放送受信機３のブロック図である。
【図３】図３はＮＩＴ情報の一例である。
【図４】図４はデジタル放送受信機３のスキャン時の例を示した図である。
【図５】図５は受信方法テーブルの一例である。
【符号の説明】
【００５４】
１，２          中継局
３              デジタル放送受信機
１１１，１１２    アンテナ
１２１，１２２    チューナ
１３１，１３２    復調部
１４１，１４２    係数設定部
１５            信号合成部
１６            制御部
【図１】
2008193385.tif 000003
【図２】
2008193385.tif 000004
【図３】
2008193385.tif 000005
【図４】
2008193385.tif 000006
【図５】
2008193385.tif 000007